(57)【要約】平面上の１つの円の円周上で等間隔に配置された複数個の誘電体共振器（No.1〜No.n）をもつ測定ヘッドと、シフト量算出部（３６）、ばらつき補正値算出部（３８）、シフト補正係数算出部（４０）、シフト補正後シフト量算出部（４１）、異方性感度補正係数算出部（４２）、補正係数記憶部（４３）、シフト補正部（４４）及び配向性算出部（４６）を備えている。シフト補正係数算出部（４０）により誘電体共振器ごとのシフト補正係数（Ｋ１）を求め、異方性感度補正係数算出部（４２）により補正試料の誘電率異方性に対する誘電体共振器ごとの異方性感度補正係数（Ｋ２）を算出する。実試料の配向性測定時に誘電体共振器ごとのシフト量にシフト補正係数（Ｋ１）と異方性感度補正係数（Ｋ２）を掛けることによりシフト量を補正し、その補正されたシフト量をもとに実試料の配向性を算出する。
2011162010.tif 000002
【特許請求の範囲】
【請求項１】
平面上の１つの円の円周上で等間隔に配置された複数個の誘電体共振器（No.1〜No.n）をもつ測定ヘッドと、
前記測定ヘッドに試料を配置しない状態での前記各誘電体共振器のブランク共振周波数と、前記測定ヘッドに試料を配置した状態での前記各誘電体共振器の共振周波数とを取り込み、誘電体共振器ごとのシフト量として両共振周波数の差を算出するシフト量算出部（３６）と、
前記測定ヘッドに補正係数測定用試料（以下、補正試料という。）が配置され、前記測定ヘッドが実試料を測定するときの前記誘電体共振器の位置に対応する前記補正試料上の測定領域（Pos.1〜Pos.n）のそれぞれが全ての誘電体共振器の位置に移動して位置決めされるように前記補正試料又は前記測定ヘッドが前記円の中心を回転中心として等間隔の回転角（0, 360°/n,…360(n-1)°/n）で回転させられたときの各回転角の位置での前記シフト量を用い、全ての前記回転角の位置での前記シフト量の平均値を各回転角における前記シフト量の平均値で割り算をすることにより前記回転角ごとのばらつき補正値を求めるばらつき補正値算出部（３８）と、
前記ばらつき補正値を前記各回転角の位置での前記シフト量に掛け算をしてばらつき補正後シフト量を算出するばらつき補正後シフト量算出部（３９）と、
前記各測定領域についての前記ばらつき補正後シフト量の平均値を前記誘電体共振器ごとの前記ばらつき補正後シフト量で割り算をして係数を求め、該係数の前記誘電体共振器ごとの平均値を算出することにより前記誘電体共振器ごとのシフト補正係数（Ｋ１）を求めるシフト補正係数算出部（４０）と、
前記シフト補正係数（Ｋ１）を前記ばらつき補正後シフト量に掛け算をしてシフト補正後シフト量を算出するシフト補正後シフト量算出部（４１）と、
前記シフト補正後シフト量の前記測定領域ごとの平均値を、前記回転角のうちの実試料の配向性測定用回転角における前記各測定領域に位置する前記誘電体共振器の前記シフト補正後シフト量で割り算をすることにより、前記補正試料の誘電率異方性に対する前記誘電体共振器ごとの異方性感度補正係数（Ｋ２）を算出する異方性感度補正係数算出部（４２）と、
前記シフト補正係数（Ｋ１）と前記異方性感度補正係数（Ｋ２）を記憶する補正係数記憶部（４３）と、
実試料の配向性測定時に前記シフト量算出部（３６）により算出される前記誘電体共振器ごとのシフト量に前記補正係数記憶部（４２）に記憶されている前記シフト補正係数（Ｋ１）と前記異方性感度補正係数（Ｋ２）を掛けることによりシフト量を補正するシフト補正部（４４）と、
前記シフト補正部（４４）により補正されたシフト量をもとに前記実試料の配向性を算出する配向性算出部（４６）と、
を備えた配向性測定装置。
【請求項２】
該配向性測定装置は実試料の測定時は走行するオンライン試料を測定するものである請求項１に記載の配向性測定装置。
【請求項３】
前記測定ヘッドは前記円の中心を回転中心として前記平面内で回転可能に支持された測定ヘッドであり、
該配向性測定装置は、前記誘電体共振器を前記円周上で前記複数個の測定領域（Pos.1〜Pos.n）に位置決めするとともに、前記各誘電体共振器が全ての前記測定領域に位置決めされるように前記測定ヘッドを等間隔の回転角（0, 360°/n,…360(n-1)°/n）をもって回転させる回転機構をさらに備えており、
前記回転機構は前記補正試料の測定時は前記測定ヘッドを回転させ、実試料の測定時は前記測定ヘッドを実試料測定用の回転角度に固定するものである請求項１又は２に記載の配向性測定装置。
【請求項４】
前記測定ヘッドは回転しないように固定されたものであり、前記補正試料が前記測定ヘッドに対して等間隔の回転角（0, 360°/n,…360(n-1)°/n）をもって回転させられる請求項１又は２に記載の配向性測定装置。
【請求項５】
該配向性測定装置は実試料として走行するオンライン試料を測定し、前記補正試料として実試料の一部からなる試料片が用いられるものであり、
前記測定ヘッドは前記誘電体共振器が配置されている部分以外の部分に空気吸引孔をもち、空気吸引力によって試料を前記測定ヘッドに吸着させることができるものであり、前記測定ヘッドは前記試料片を測定するときは空気吸引力によって前記試料片を前記測定ヘッドに吸着させ、前記実試料を測定するときは空気吸引力を作用させないものである請求項４に記載の配向性測定装置。
【請求項６】
平面上の１つの円の円周上で等間隔に配置された複数個の誘電体共振器（No.1〜No.n）をもつ測定ヘッドを備えた配向性測定装置を用い、以下のステップを備えて配向性をもつ試料の配向性を測定する配向性測定方法。
（ステップ１）前記測定ヘッドに測定対象物を配置しない状態で前記各誘電体共振器のブランク共振周波数を測定するステップ、
（ステップ２）前記測定ヘッドに補正試料を配置し、前記測定ヘッドが測定対象である実試料を測定するときの前記誘電体共振器の位置に対応する前記補正試料上の測定領域（Pos.1〜Pos.n）のそれぞれが全ての誘電体共振器の位置に移動して位置決めされるように前記補正試料又は前記測定ヘッドを前記円の中心を回転中心として等間隔の回転角（0, 360°/n,…360(n-1)°/n）で回転させ、各回転角の位置で前記各誘電体共振器の共振周波数を測定するステップ、
（ステップ３）前記各誘電体共振器のブランク共振周波数と前記各回転角の位置での前記各誘電体共振器の共振周波数との差から前記各回転角の位置での前記各誘電体共振器のシフト量を算出するステップ、
（ステップ４）前記各回転角の位置での前記各誘電体共振器のシフト量について、全ての前記回転角の位置での平均値を各回転角における平均値で除することにより前記回転角ごとのばらつき補正値を算出するステップ、
（ステップ５）前記ばらつき補正値をそれぞれの前記回転角での前記シフト量に掛けることによりばらつき補正後シフト量を算出するステップ、
（ステップ６）前記各測定領域について、前記ばらつき補正後シフト量の平均値を算出し、該平均値を前記誘電体共振器ごとの前記ばらつき補正後シフト量で除して係数を算出し、該係数を前記誘電体共振器ごとに平均して前記誘電体共振器ごとのシフト補正係数（Ｋ１）を求めるシフト補正係数算出ステップ、
（ステップ７）前記シフト補正係数（Ｋ１）を前記ばらつき補正後シフト量に掛けることによりシフト補正後シフト量を算出するステップ、
（ステップ８）前記シフト補正後シフト量の前記測定領域ごとの平均値を求め、該平均値を前記回転角のうちの実試料の配向性測定用回転角における前記各測定領域に位置する前記誘電体共振器の前記シフト補正後シフト量で割り算をすることにより、前記補正試料の誘電率異方性に対する前記誘電体共振器ごとの異方性感度補正係数（Ｋ２）を算出する異方性感度補正係数算出ステップ、
（ステップ９）前記シフト補正係数（Ｋ１）と前記異方性感度補正係数（Ｋ２）を記憶装置に記憶させるステップ、
（ステップ１０）前記測定ヘッドと実試料を実試料の配向性測定用回転角の状態にして、前記各誘電体共振器により実試料を測定してシフト量を算出し、その算出されたシフト量に、記憶されている前記シフト補正係数（Ｋ１）と前記異方性感度補正係数（Ｋ２）を掛けるシフト量補正ステップ、及び
（ステップ１１）補正されたシフト量をもとに実試料の配向性を算出するステップ。
【請求項７】
前記測定ヘッドとして前記円の中心を回転中心として前記平面内で回転可能に支持された測定ヘッドを使用し、
前記ステップ２では前記各誘電体共振器が全ての前記測定領域に位置決めされるように前記測定ヘッドを等間隔の回転角（0, 360°/n,…360(n-1)°/n）をもって回転させて各回転角の位置で前記各誘電体共振器の共振周波数を測定し、
前記ステップ１０では前記測定ヘッドを実試料の配向性測定用回転角に固定して実試料の測定を行う請求項６に記載の配向性測定方法。
【請求項８】
実試料として走行するオンライン試料を測定し、補正試料としても実試料を使用する請求項７に記載の配向性測定方法。
【請求項９】
前記測定ヘッドとして回転しないように固定された測定ヘッドを使用し、
前記補正試料として試料片を使用し、
前記ステップ２では、前記補正試料を前記測定ヘッドに対して等間隔の回転角（0, 360°/n,…360(n-1)°/n）をもって回転させて各回転角の位置で前記各誘電体共振器の共振周波数を測定する請求項６に記載の配向性測定方法。
【請求項１０】
実試料として走行するオンライン試料を測定し、
前記測定ヘッドとして前記誘電体共振器が配置されている部分以外の部分に空気吸引孔をもつ測定ヘッドを使用し、前記補正試料を測定するときは空気吸引力によって前記補正試料を前記測定ヘッドに吸着させ、前記実試料を測定するときは空気吸引力を作用させないようにし、
前記補正試料を測定するときは無配向の基準フィルムを前記測定ヘッドに吸着させて測定したときの疑似ブランク共振周波数と、前記補正試料を前記測定ヘッドに載せ、さらにその補正試料上に前記基準フィルムを載せて前記補正試料と前記基準フィルムを重ねて前記測定ヘッドに吸着させて測定したときの共振周波数との差として前記ステップ３でのシフト量を求める請求項９に記載の配向性測定方法。
【発明の詳細な説明】
【技術分野】
【０００１】
本発明は、紙、不織布、フィルムをはじめとするシート状物質の配向性あるいは誘電的異方性を複数個のマイクロ波誘電体共振器を用いて測定する装置と方法に関する。
【背景技術】
【０００２】
シート状物質の配向を測定する方法で複数個の誘電体共振器を用いる場合には、誘電体共振器間の固体差の影響を取り除く必要がある。その手段として誘電体共振器間の固体差を反映した補正係数を求める方法が提案されている（特許文献１〜３参照。）。それらの提案の補正係数を算出する一連の手順は、方法論的には誘電体共振器間の固体差の影響を取り除く有効な手段を示したものである。【０００３】
特許文献１は異方性のない実質的に無配向の標準試料を用いて補正係数を求める手法を示したもの、特許文献２は測定対象試料そのものを用いて補正係数を求める手法を示したもの、特許文献３は測定試料にシワや折り目があったり試料が空気を透過する紙の場合でもオフラインの状態で精度よく補正係数を求める手法を示したものである。これらの特許文献で示された誘電体共振器間の固体差の影響を取り除く補正は、空気いわゆるブランク状態を基準とした試料有りの状態での共振周波数のシフト量の固体差を取り除くものである。
【先行技術文献】
【特許文献】
【０００４】
【特許文献１】特許第３８８２６４１号公報
【特許文献２】特許第４１２４１４７号公報
【特許文献３】特開２０１０−７１８３５号公報
【発明の概要】
【発明が解決しようとする課題】
【０００５】
本発明も誘電体共振器間の固体差の影響を取り除く補正方法に関するものであるが、さらに検討を進めて各誘電体共振器がもつ試料の誘電率異方性に対する感度の固体差までも対象にしようとするものである。【０００６】
すなわち、本発明はシート状物質の配向を測定する方法で複数個の誘電体共振器を用いる場合において、各誘電体共振器がもつブランク状態を基準とした試料有りの状態での共振周波数のシフト量に対する固体差に加え、各誘電体共振器がもつ試料の誘電率異方性に対する感度の固体差についても補正する補正係数を求めることができる配向測定装置と方法を提供することを目的とする。
【課題を解決するための手段】
【０００７】
本発明の配向性測定装置は、平面上の１つの円の円周上で等間隔に配置された複数個の誘電体共振器（No.1〜No.n）をもつ測定ヘッドと、図１に示されるようにシフト量算出部（３６）、ばらつき補正値算出部（３８）、シフト補正係数算出部（４０）、シフト補正後シフト量算出部（４１）、異方性感度補正係数算出部（４２）、補正係数記憶部（４３）、シフト補正部（４４）及び配向性算出部（４６）を備えている。【０００８】
シフト量算出部（３６）は、測定ヘッドに試料を配置しない状態での各誘電体共振器のブランク共振周波数と、測定ヘッドに試料を配置した状態での各誘電体共振器の共振周波数とを取り込み、誘電体共振器ごとのシフト量として両共振周波数の差を算出するものである。【０００９】
ばらつき補正値算出部（３８）は、測定ヘッドに補正係数測定用試料（以下、補正試料という。）が配置され、測定ヘッドが実試料を測定するときの誘電体共振器の位置に対応する補正試料上の測定領域（Pos.1〜Pos.n）のそれぞれが全ての誘電体共振器の位置に移動して位置決めされるように補正試料又は測定ヘッドが前記円の中心を回転中心として等間隔の回転角（0, 360°/n,…360(n-1)°/n）で回転させられたときの各回転角の位置でのシフト量を用い、全ての前記回転角の位置でのシフト量の平均値を各回転角におけるシフト量の平均値で割り算をすることにより回転角ごとのシフト量のばらつき補正値を求めるものである。【００１０】
ばらつき補正後シフト量算出部（３９）は、ばらつき補正値を各回転角の位置でのシフト量に掛け算をしてばらつき補正後シフト量を算出するものである。【００１１】
シフト補正係数算出部（４０）は、各測定領域についてのばらつき補正後シフト量の平均値を誘電体共振器ごとのばらつき補正後シフト量で割り算をして係数を求め、該係数の誘電体共振器ごとの平均値を算出することにより誘電体共振器ごとのシフト補正係数（Ｋ１）を求めるものである。【００１２】
シフト補正後シフト量算出部（４１）は、シフト補正係数（Ｋ１）をばらつき補正後シフト量に掛け算をしてシフト補正後シフト量を算出するものである。【００１３】
異方性感度補正係数算出部（４２）は、シフト補正後シフト量の測定領域ごとの平均値を、前記回転角のうちの実試料の配向性測定用回転角における各測定領域に位置する誘電体共振器のシフト補正後シフト量で割り算をすることにより、補正試料の誘電率異方性に対する誘電体共振器ごとの異方性感度補正係数（Ｋ２）を算出するものである。異方性感度補正係数（Ｋ２）は試料の誘電率異方性に対する誘電体共振器間の感度ばらつきを補正するものである。【００１４】
補正係数記憶部（４３）はシフト補正係数（Ｋ１）と異方性感度補正係数（Ｋ２）を記憶するものである。【００１５】
シフト補正部（４４）は、実試料の配向性測定時にシフト量算出部（３６）により算出される誘電体共振器ごとのシフト量に補正係数記憶部（４２）に記憶されているシフト補正係数（Ｋ１）と異方性感度補正係数（Ｋ２）を掛けることによりシフト量を補正するものである。【００１６】
配向性算出部（４６）は、シフト補正部（４４）により補正されたシフト量をもとに実試料の配向性を算出するものである。【００１７】
本発明の配向性測定方法は、平面上の１つの円の円周上で等間隔に配置された複数個の誘電体共振器（No.1〜No.n）をもつ測定ヘッドを備えた配向性測定装置を用い、以下のステップ１〜１１を備えて配向性をもつ試料の配向性を測定する方法である。【００１８】
（ステップ１）測定ヘッドに測定対象物を配置しない状態で各誘電体共振器のブランク共振周波数を測定するステップ。【００１９】
（ステップ２）測定ヘッドに補正試料を配置し、測定ヘッドが測定対象である実試料を測定するときの誘電体共振器の位置に対応する補正試料上の測定領域（Pos.1〜Pos.n）のそれぞれが全ての誘電体共振器の位置に移動して位置決めされるように補正試料又は測定ヘッドを前記円の中心を回転中心として等間隔の回転角（0, 360°/n,…360(n-1)°/n）で回転させ、各回転角の位置で各誘電体共振器の共振周波数を測定するステップ。【００２０】
（ステップ３）各誘電体共振器のブランク共振周波数と各回転角の位置での各誘電体共振器の共振周波数との差から各回転角の位置での各誘電体共振器のシフト量を算出するステップ。【００２１】
（ステップ４）各回転角の位置での各誘電体共振器のシフト量について、全ての前記回転角の位置での平均値を各回転角における平均値で除することにより回転角ごとのシフト量のばらつき補正値を算出するステップ。【００２２】
（ステップ５）ばらつき補正値をそれぞれの回転角でのシフト量に掛けることによりばらつき補正後シフト量を算出するステップ。【００２３】
（ステップ６）各測定領域について、ばらつき補正後シフト量の平均値を算出し、該平均値を誘電体共振器ごとのばらつき補正後シフト量で除して係数を算出し、該係数を誘電体共振器ごとに平均して誘電体共振器ごとのシフト補正係数（Ｋ１）を求めるシフト補正係数算出ステップ。【００２４】
（ステップ７）シフト補正係数（Ｋ１）をばらつき補正後シフト量に掛けることによりシフト補正後シフト量を算出するステップ。【００２５】
（ステップ８）シフト補正後シフト量の測定領域ごとの平均値を求め、該平均値を前記回転角のうちの実試料の配向性測定用回転角における各測定領域に位置する誘電体共振器のシフト補正後シフト量で割り算をすることにより、補正試料の誘電率異方性に対する誘電体共振器ごとの異方性感度補正係数（Ｋ２）を算出する異方性感度補正係数算出ステップ。【００２６】
（ステップ９）シフト補正係数（Ｋ１）と異方性感度補正係数（Ｋ２）を記憶装置に記憶させるステップ。【００２７】
（ステップ１０）測定ヘッドと実試料を実試料の配向性測定用回転角の状態にして、各誘電体共振器により実試料を測定してシフト量を算出し、その算出されたシフト量に、記憶されているシフト補正係数（Ｋ１）と異方性感度補正係数（Ｋ２）を掛けるシフト量補正ステップ。【００２８】
（ステップ１１）補正されたシフト量をもとに実試料の配向性を算出するステップ。【００２９】
配向性測定装置は、好ましくは実試料として走行するオンライン試料を測定するように構成される。【００３０】
測定ヘッドとしては、前記円の中心を回転中心として前記平面内で回転可能に支持された回転可能な測定ヘッドと、回転しないように固定された固定型測定ヘッドのいずれも使用することができる。【００３１】
回転可能な測定ヘッドを備えた配向性測定装置は、誘電体共振器を前記円周上で複数個の測定領域（Pos.1〜Pos.n）に位置決めするとともに、各誘電体共振器が全ての測定領域に位置決めされるように測定ヘッドを等間隔の回転角（0, 360°/n,…360(n-1)°/n）をもって回転させる回転機構をさらに備えている。前記回転機構は補正試料の測定時は測定ヘッドを回転させ、実試料の測定時は測定ヘッドを実試料測定用の回転角度に固定する。【００３２】
回転可能な測定ヘッドを備えた配向性測定装置では、走行する実試料を補正試料としても使用することができる。【００３３】
固定型測定ヘッドを備えた配向性測定装置では、実試料が走行するものである場合には、実試料とは別に用意された補正試料が測定ヘッドに対して等間隔の回転角（0, 360°/n,…360(n-1)°/n）をもって回転させられる。そのような補正試料の一例は実試料の一部を切り出した試料片である。【００３４】
試料片からなる補正試料を走行する実試料の測定条件と近い条件で測定できるようにするための好ましい固定型測定ヘッドの一例は、誘電体共振器が配置されている部分以外の部分に空気吸引孔をもち、空気吸引力によって試料を測定ヘッドに吸着させることができるものである。そのような測定ヘッドは、試料片を測定するときは空気吸引力によって試料片を測定ヘッドに吸着させ、実試料を測定するときは空気吸引力を作用させないように使用する。【００３５】
そのような空気吸引孔をもつ測定ヘッドにより試料片からなる補正試料を測定するときは、無配向の基準フィルムを測定ヘッドに吸着させて測定したときの疑似ブランク共振周波数と、補正試料を測定ヘッドに載せ、さらにその補正試料上に前記基準フィルムを載せて補正試料と基準フィルムを重ねて測定ヘッドに吸着させて測定したときの共振周波数との差を補正試料を測定したときのシフト量として使用する。
【発明の効果】
【００３６】
本発明によれば、シート状物質の配向を測定する方法で複数個の誘電体共振器を用いる場合において、各誘電体共振器がもつブランク状態を基準とした試料有りの状態での共振周波数のシフト量の固体差に加え、各誘電体共振器が持つ試料の誘電率異方性に対する感度の固体差についても補正する補正係数を求めることが可能となる。配向を測定するために用いる配向測定装置の測定ヘッドでは、各誘電体共振器をアルミニウム、真鍮、銅等を用いた一つの金属製の測定ヘッドに装着するが、金属の加工精度のわずかなばらつき、測定ヘッドに設けられた穴部に底部や側周部と若干の隙間を保って装着される複数の誘電体共振器のわずかな装着状態のばらつきが、誘電体共振器を用いた検出部の共振状態に影響を与えることがある。つまり、本発明は、測定ヘッドの加工時に生じるばらつきが共振状態に与える影響を含めて、誘電体共振器を用いた各検出部が持つ固有の個体差を補正することで、誘電的異方性が小さいいわゆる無配向に近い試料を測定する際にも、配向角度や配向度などで表される測定試料の配向性を精度よく示すことが可能となる。
【図面の簡単な説明】
【００３７】
【図１】本発明におけるデータ処理のための各部を示すブロック図である。
【図２】５個の誘電体共振器を保持した円形測定ヘッドを示す平面図である。
【図３】５個の誘電体共振器を使用した場合の信号処理系を示すブロック図である。
【図４】各誘電体共振器の出力から得られる配向パターンを示す図である。
【図５】一実施例における補正係数測定動作を示すフローチャートである。
【図６】同実施例における配向性測定動作を示すフローチャートである。
【図７Ａ】同実施例における補正係数測定動作と配向性測定動作をデータの変化を基にして示す図表の前半部である。
【図７Ｂ】同実施例における補正係数測定動作と配向性測定動作をデータの変化を基にして示す図表の後半部である。
【図８】測定ヘッドの共振器ナンバーと試料の測定領域であるポジション（PosA-PosE）を示す概略平面図である。
【図９】各角度の周波数シフト量のばらつきのみを補正した場合に５つのポジションにおいて各誘電体共振器が示す共振周波数のばらつき補正後シフト量を示すグラフである。
【図１０】各誘電体共振器がもつブランク共振周波数からの周波数シフト量の固体差を補正した場合に５つのポジションにおいて各誘電体共振器が示す共振周波数のシフト補正後シフト量を示すグラフである。
【図１１】補正無しシフト量、シフト補正後シフト量、及びさらに異方性感度補正まで行ったシフト量を比較して示すグラフである。
【図１２】（ａ）は５個の誘電体共振器の位置を示した測定ヘッドを示す平面図、（ｂ）は各誘電体共振器の出力から得られる配向パターンを示す図である。
【図１３】図１２（ｂ）の配向パターンが算出される場合に５つのポジションにおいて各誘電体共振器が示す理想的な共振周波数のシフト量を示すグラフである。
【図１４】吸引孔をもつ測定ヘッドの一例を示す平面図である。
【図１５】図１４の測定ヘッドに対する試料と基準フィルムの配置を示す分解斜視図である。
【図１６】各角度の周波数シフト量のばらつきのみを補正した場合に５つのポジションにおいて各誘電体共振器が示す共振周波数のばらつき補正後シフト量を実測データをもとに示したグラフである。
【図１７】各誘電体共振器がもつブランク共振周波数からの周波数シフト量の固体差を補正した場合に５つのポジションにおいて各誘電体共振器が示す共振周波数のシフト補正後シフト量を実測データをもとに示したグラフである。
【図１８】補正無しシフト量、シフト補正後シフト量、及びさらに異方性感度補正まで行ったシフト量を実測データを基にして比較して示すグラフである。
【図１９】配向角度１５度の場合について、５つのポジションにおいて各誘電体共振器が示す共振周波数のシフト量をシミュレーションにより求めたグラフである。
【発明を実施するための形態】
【００３８】
試料の物性として配向性あるいは誘電的異方性を測定する方法として、矩形の誘電体共振器を用いた検出部をマイクロ波により共振させ、その表面に沁みだしたエバネセント波を利用する方法がある。その方法では、試料の片側から検出部を接触もしくは近接させた際の誘電体共振器の共振周波数の変化を測定する。試料の片側から検出部が接触あるいは近接したときに、試料の誘電率から空気の誘電率１を引いた値と厚さの積に応じて共振周波数が低周波数側にシフトする。このシフト量を測定することによって、紙などのシート状物の繊維配向あるいは分子配向を測定することができる。
【００３９】
使用する誘電体共振器の個数を５個とした場合を例に説明するが、誘電体共振器の個数は他の数であってもよい。この場合の測定ヘッド１０は、図２に示されるように、測定対象物の一面側に配置される平面上の１つの円の円周上に配置された５個の誘電体共振器１〜５をもつ。各誘電体共振器１〜５は、隣接する誘電体共振器とそれらの誘電体共振器１〜５が配置されている円の中心とのなす角度が７２度となるように、等間隔に配置されている。
【００４０】
この実施例では、測定ヘッド１０は回転可能なものである。測定ヘッド１０は誘電体共振器１〜５が配置されている円の中心を回転中心として、誘電体共振器１〜５が配置されている平面内で回転可能に支持されている。
【００４１】
測定ヘッド１０は回転機構９を備えている。回転機構９は、誘電体共振器１〜５をそれらが配置されている円周上で５個の測定領域であるポジションPos.1〜Pos.5に位置決めするとともに、各誘電体共振器１〜５が全てのポジションに位置決めされるように測定ヘッド１０を等間隔の回転角７２度をもって回転させる。測定領域は、実試料を測定するときの測定ヘッドにおける誘電体共振器の位置に対応する補正試料上又は実試料上の位置である。回転機構９は例えばステッピングモータを備え、後で説明するマイクロコンピュータ３０又はパーソナルコンピュータ３２から駆動パルス信号が送られることにより回転角度が制御される。
【００４２】
このような複数の誘電体共振器を使用した場合、信号処理は図３に示されるような信号処理系により行うことができる。この場合も５個の誘電体共振器を使用した場合について説明する。マイクロ波掃引発振器（スイーパ）２０から出たマイクロ波信号は５個の誘電体共振器２２−１〜２２−５に分配され、誘電体共振器２２−１〜２２−５の透過強度が検波ダイオード２４−１〜２４−５により電圧に変換される。電圧に変換された信号は増幅及びＡ／Ｄ変換回路２６−１〜２６−５により増幅とＡ／Ｄ変換がなされ、ピーク検出回路２８−１〜２８−５に送られる。ピーク検出回路２８−１〜２８−５の出力信号がマイクロコンピュータ３０に送られる。
【００４３】
マイクロ波掃引発振器２０は出力するマイクロ波信号の周波数を掃引することにより、ピーク検出回路２８−１〜２８−５では掃引された周波数範囲でのピーク位置の周波数が検出される。マイクロ波掃引発振器２０による周波数の掃引は一定の周期で繰り返され、ピーク検出回路２８−１〜２８−５ではピーク位置の周波数検出値の平均化がなされる。
【００４４】
また、マイクロ波掃引発振器２０は出力するマイクロ波信号の掃引中のみハイレベルとなる同期信号を出力し、その同期信号はピーク検出回路２８−１〜２８−５に送られる。マイクロコンピュータ３０では、この同期信号がハイレベルになる瞬間から透過強度が最大値をとるまでの時間を測定して共振周波数が求められる。
【００４５】
マイクロコンピュータ３０は図１に示された各部の機能を実現するものである。
【００４６】
試料がないときのブランク共振周波数と試料を共振器に近接または接触させたときの共振周波数の差をシフト量（Δｆ）と呼ぶ。図２に示した５個の誘電体共振器１〜５のそれぞれについてシフト量を求め、それを極座標上にプロットすると楕円パターンが描ける。そして、得られたデータについて楕円近似を行うことにより、図４のような配向パターンと呼ばれる楕円が計算され、試料の配向性が示される。
【００４７】
試料が走行するオンラインでの配向測定を例にとると、図４において、ＭＤ（Machine Direction）方向は試料の走行方向であり、この方向を基準方向とする。ＴＤ（Transverse Direction）は基準方向に直交する方向で、オンライン測定の場合は試料の幅方向である。その楕円の長軸方向は誘電率最大の方向であり、基準方向と誘電率最大の方向とのなす角度φは配向角度を表し、長軸ａと短軸ｂの差又はそれを長軸ａもしくは短軸ｂで除したものは異方性の程度を表す。
【００４８】
配向性算出部４６での実試料の配向性算出と、ステップ１１での実試料の配向性算出は、シフト量として本発明により求められる補正係数により補正されたシフト量を用い、図４に示される配向パターンに基づいて実行される。
【００４９】
ここで、使用する誘電体共振器の個数を５個とした実施例について、補正係数測定について説明する。補正係数測定とは、測定対象試料の配向を求める配向測定方法における次の手順を備えた補正係数算出方法である。
【００５０】
図５〜図１１は、ＭＤ方向が配向角度である走行中の紙について、ブランク共振周波数からの周波数シフト量及び異方性に対する感度がそれぞれ異なる５つの誘電体共振器を有する測定ヘッドをもつ配向測定装置で補正係数測定から実試料測定まで行った一例である。
【００５１】
まず、補正係数測定を説明する。図５に補正係数測定動作を示し、図６に補正係数が求められた後の実試料の配向性測定動作を示す。図７Ａと図７Ｂにはデータの変化を基にした補正係数測定動作と配向性測定動作を示す。この例では、走行する実試料が補正試料を兼ねる。
【００５２】
（ステップＳ１）試料の一面側のみに配置される５個の誘電体共振器を備える測定ヘッド上に何も置かない状態で、各誘電体共振器の共振周波数を測定することによりブランク共振周波数を求める。このブランク測定では、測定ヘッドの回転角度はどこでもよいが、この例では、実試料の配向性を測定するための回転角度に設定しておく。図８は回転角度０度での測定ヘッドにおける共振器の配置と、試料に対する測定領域（ポジション）を示したものであるが、回転角度０度での測定ヘッドを配向性測定時の回転角度と設定する。
【００５３】
（ステップＳ２）走行中の測定対象試料（実試料）の表面に測定ヘッドを接触させた状態で、各誘電体共振器の共振周波数を測定する。
【００５４】
（ステップＳ３）測定ヘッドを一旦測定対象試料表面から離して回転させ、回転完了後に再び測定対象試料表面に測定ヘッドを接触させるか、又は、測定ヘッドを測定対象試料表面に接触した状態を維持したまま測定ヘッドを連続的または断続的に回転させて各誘電体共振器の共振周波数を測定する。この実施例では測定ヘッドは５個の共振器を備えているので、０度から７２度毎の５水準を回転角度としている。
【００５５】
（ステップＳ４）ステップＳ３までで得られた各誘電体共振器の全ての共振周波数とブランク時の共振周波数との差から、各誘電体共振器の各回転角でのシフト量を求める。
【００５６】
（ステップＳ５）ステップＳ４により得られた各回転角でのシフト量について、各回転角での各誘電体共振器全ての平均値を各回転角における共振器の平均値で除することで得られる各回転角度でのシフト量測定値のばらつきを補正するばらつき補正値を算出し、算出したばらつき補正値を各回転角度のシフト量にそれぞれ掛ける。これは、ステップＳ２の各回転角での測定中に、外乱の一時的変化によるデータの変動や測定試料の坪量の一時的変化による影響を回避するために行うばらつき補正である。このばらつき補正のみを実施した際に得られる、各領域における共振周波数のばらつき補正後シフト量（Δｆ）のグラフを図９に示す。
【００５７】
（ステップＳ６）ステップＳ５にてばらつきを補正し算出された各誘電体共振器の各回転角度でのばらつき補正後シフト量の平均値を測定領域毎に算出し、その平均値を各誘電体共振器のばらつき補正後シフト量で割り算をして、測定領域毎に規格化した各誘電体共振器のシフト量を算出する。その各規格化した各誘電体共振器のシフト量を誘電体共振器毎に平均化して、各誘電体共振器がもつブランク共振周波数からの周波数シフト量の固体差を補正する補正係数Ｋ１とする。ここで記載した測定領域とは補正試料及び実試料の測定対象となる場所であり、図８の右図のように、補正試料上又は実試料上での５つの共振器の定位置をそれぞれポジションＡ、ポジションＢ、ポジションＣ、ポジションＤ、ポジションＥと定義する。図８の左図を試料に対する測定ヘッド回転角度０度の位置とするとき、回転角度０度ではＮｏ．１の共振器がＰｏｓＡを測定、以下同様にＮｏ．２がＰｏｓＢ、Ｎｏ．３がＰｏｓＣ、Ｎｏ．４がＰｏｓＤ、Ｎｏ．５がＰｏｓＥをそれぞれ測定することとなる。
【００５８】
さらに、試料の誘電率異方性に対する感度の補正について説明する。
【００５９】
（ステップＳ７）各回転角度でのばらつきを補正した各誘電体共振器の各測定領域でのばらつき補正後シフト量に対し補正係数Ｋ１を掛け、得られた値について各測定領域における各誘電体共振器のシフト量の平均値をそれぞれ算出する。この段階での補正係数Ｋ１を掛けた後の、各測定領域における共振周波数シフト量（Δｆ）のグラフを図１０に示す。図９と図１０を比較すると、図１０は各共振器がそれぞれもつブランク共振周波数からの周波数シフト量のばらつきが補正され、各誘電体共振器のグラフが平均値のグラフ付近に密集していることがわかる。
【００６０】
（ステップＳ８）配向性の測定を実施する際の測定ヘッドと試料のなす角度について、補正係数測定中の各相対角度の水準のうちの１つから選出する。今回は配向測定の角度を０度、つまり図８に示されるように、Ｎｏ．１の共振器がＰｏｓＡを測定、以下同様にＮｏ．２がＰｏｓＢ、Ｎｏ．３がＰｏｓＣ、Ｎｏ．４がＰｏｓＤ、Ｎｏ．５がＰｏｓＥをそれぞれ測定する状態である。そして、ステップＳ７で得られた各測定領域における各共振器のシフト量の平均値を、同様にステップＳ７で得られた０度の回転角度での配向性測定の際の試料の各測定領域に対応する各誘電体共振器のシフト量（ＰｏｓＡ＝Ｎｏ．１、ＰｏｓＢ＝Ｎｏ．２、ＰｏｓＣ＝Ｎｏ．３、ＰｏｓＤ＝Ｎｏ．４、ＰｏｓＥ＝Ｎｏ．５）でそれぞれ除することで、試料の誘電率の異方性に対する誘電体共振器の感度のばらつきを補正する補正係数Ｋ２が算出される。
【００６１】
算出された補正係数Ｋ1とＫ２は記憶部に保持しておき、試料の配向性を求める際に使用する。
【００６２】
次に、補正係数測定後の実試料の配向測定へと移行する。
【００６３】
（ステップＳ９）ステップＳ８で定めた０度の回転角度のもとで、全ての誘電体共振器の測定面を覆う大きさの実試料を測定ヘッド上に載せ、各誘電体共振器の共振周波数を測定する。実試料は走行する試料である。
【００６４】
（ステップＳ１０）ステップＳ９で得られた各誘電体共振器の共振周波数とステップＳ１で得られたブランク共振周波数の差から実試料の周波数シフト量を算出する。この際、ステップＳ９を実施する前に、再度測定ヘッド上に何も載せない空気のみの状態で、再度ブランク測定を実施してブランク共振周波数を取得し、シフト量の演算に用いてもよい。
【００６５】
（ステップＳ１１）ステップＳ１０で得られた共振周波数シフト量に、記憶されている補正係数Ｋ１と補正係数Ｋ２を掛けて補正後のシフト量とし、その値をもとに試料の配向性を算出する。
【００６６】
ステップＳ９及びステップＳ１０にて得られたシフト量に対し、補正係数を掛けない場合、補正係数Ｋ１のみを掛けた場合、補正係数Ｋ１及び補正係数Ｋ２を掛けた場合のそれぞれにおける各領域での共振周波数シフト量（Δｆ）のグラフを図１１に示す。
【００６７】
ここで図１１のグラフの形状について図１２及び図１３を用いて説明する。図１２では、（ａ）に示したように矢印の紙の流れ方向に配向した紙を図示のように配置したマイクロ波誘電体共振器により測定すると、（ｂ）に示した配向パターンが得られることを示している。図１２では、Ｎｏ．１の誘電体共振器がＰｏｓＡを、以下同様にＮｏ．２をＰｏｓＢ、Ｎｏ．３がＰｏｓＣ、Ｎｏ．４がＰｏｓＤ、Ｎｏ．５がＰｏｓＥを測定する対応関係となっている。図１２は測定ヘッドと紙面の接触状態が均一な場合に５つのポジションにおいて各誘電体共振器が示す共振周波数のシフト量の一例である。５つの誘電体共振器を用いて図１２(b)に示したような配向パターンが得られる場合、５つのヘッドの定位置であるポジションＡからＥに対して、共振周波数のシフト量（Δｆ）は理論上、図１３に示したようなＰｏｓＡ＜ＰｏｓＣ＝ＰｏｓＤ＜ＰｏｓＢ＝ＰｏｓＥの形になる。これを踏まえあらためて図１１を見ると、補正前及び補正係数Ｋ１を掛けたのみのグラフが各共振器のもつ試料の異方性に対する感度差の影響を受けているのに対して、補正係数Ｋ１及びＫ２をかけた補正後のグラフは理論上算出されるべき相対関係とほぼ同等となっていることが分かる。このように、本発明の各ステップを踏み補正係数測定を実施することで、図１３のような理想的な測定結果を得ることが可能となる。
【００６８】
測定ヘッドとして回転しないように固定された測定ヘッド使用する場合は、走行する実試料を補正試料として利用することはできない。その場合は、補正試料として実試料の一部を切り出した試料片を補正試料として使用する。
【００６９】
補正係数を求めるための補正試料による共振周波数の測定では、補正試料を測定ヘッドに対して等間隔の回転角をもって回転させて各回転角の位置で各誘電体共振器の共振周波数を測定する。
【００７０】
測定ヘッドに対して補正試料を回転させるには、例えば次のような方法をとることができる。例えば、５個の誘電体共振器が設けられている測定ヘッドでは、誘電体共振器は測定ヘッド面上の円の円周上に配置され、隣接する誘電体共振器はその円の中心からの角度が７２度となる等間隔の位置に配置されている。そこで、補正試料となる試料片にも円周上で中心からの角度が７２度ごとの位置に目印を設けておく。そして、測定ヘッドの誘電体共振器の位置に補正試料の目印が合うように、補正試料を測定ヘッド上に置いて共振周波数を測定し、次に補正試料の目印が測定ヘッドの誘電体共振器の次の位置へ移動するように補正試料を回転させた状態で共振周波数を測定するというように、補正試料を７２度ずつ順次回転させながら共振周波数を測定していく。
【００７１】
また、誘電体共振器が配置されている円の中心からの角度が７２度となる等間隔の位置に、例えば測定ヘッドに蓋をとりつけるためのネジ穴などが配置されている場合には、そのようなネジ穴などの位置も誘電体共振器の位置と同様に補正試料を回転させる際の目安として利用することができる。
【００７２】
さらに、補正試料の試料片を測定する場合、特に空気を透過する紙のような試料片について、オフラインで補正係数測定を実施する際には、通気性をもたない無配向フィルムを基準フィルムとする測定方法が有用である。基準フィルムを用いて得られた共振周波数を疑似ブランク値としてブランク値に代用し、実測の際は基準フィルムを測定ヘッドに対して回転させず、補正試料のみを測定ヘッドに対して相対的に回転させることで、各角度におけるシフト量を算出することとなる。
【００７３】
このとき基準フィルムと補正試料を測定ヘッドに密着させる必要があるが、その具体的な方法を説明する。図１４は基準フィルムと補正試料を吸着させることのできる測定ヘッド１０ａを上部から見た平面図である。この例での測定ヘッド１０ａは回転せず、補正係数を求める補正試料の測定時も固定されたままで使用される。測定ヘッド１０ａで試料と接する面には、誘電体共振器１〜５が配置されている部分以外の部分に空気吸引孔１３が複数設けられている。空気吸引孔１３の大きさと配置は、試料や基準フィルムを十分に密着させることができるのであればどのようなものであってもよい。
【００７４】
図１５はその測定ヘッド１０ａと試料１１と基準フィルム１２の位置関係を示している。試料１１と基準フィルム１２は測定ヘッド１０ａの表面の複数の空気孔１３により吸引される。空気孔１３は測定ヘッド内部から配管１４を経て吸引ポンプ１５に接続されている。測定ヘッド１０ａの表面の空気孔１３から空気を吸引することにより、試料１１が測定ヘッド１０ａに吸着されるが、もし試料にシワや折り目がある場合や、通気性のある紙のような試料の場合は十分な吸着ができない。しかし、その上に通気性をもたない無配向の基準フィルム１２を載せることで、空気の透過が生じず試料１１は基準フィルム１２と一緒に吸着されて試料１１は測定ヘッドに密着されることとなる。
【００７５】
なお、測定ヘッドの試料に接する面と各誘電体共振器の測定面が同一平面内にあるように測定ヘッドを設計した場合は、測定ヘッドが試料に接触した場合に各誘電体共振器も試料に接する。ここで誘電体共振器の試料に対向させる面を測定ヘッドの試料に接する面から若干下げると、誘電体共振器の測定面と試料の間には常に微小な距離が維持される。このような場合も勿論本発明を適用可能であることはいうまでもない。
【００７６】
実試料の測定は、走行する試料を測定するオンライン測定と、試料片からなる試料を測定するオフライン測定の両方に適用するとができる。
【００７７】
[実施例]
以下に本発明に係る具体例を説明するが、本発明はこれらの例に限定されるものではない。
【００７８】
まず、図２のように５個の誘電体共振器１〜５を７２度ずつ配置した測定ヘッド１０に対し、図３に示した信号処理回路を組み合わせ、実際に走行している抄紙後の紙に測定ヘッドを接触させ、リアルタイムで紙の繊維配向を測定した。紙との接触手段としてはフォイル効果を用い、米坪６２．５ｇ/ｍ2の試料について、各誘電体共振器の共振周波数のシフト量を７２度ごと取得した後、ポジションごとに共振周波数のシフト量を並び替え表示した。
【００７９】
図１６は各回転角度のばらつきのみ補正した場合に５つのポジションにおいて各誘電体共振器が示す共振周波数のシフト量のグラフである。
【００８０】
図１７は測定した共振周波数シフト量に対し補正係数Ｋ１を掛け、各誘電体共振器がもつブランク共振周波数からの周波数シフト量の固体差を補正した場合に５つのポジションにおいて各誘電体共振器が示す共振周波数のシフト量のグラフである。
【００８１】
図１８は補正係数を掛けない場合、補正係数Ｋ１のみを掛けた場合、補正係数Ｋ１及び補正係数Ｋ２を掛けた場合のそれぞれにおける各領域での共振周波数シフト量（Δｆ）のグラフである。言い換えると、補正無しの場合、各測定部がもつブランク共振周波数からの周波数シフト量の固体差のみを補正した場合、各測定部がもつブランク共振周波数からの周波数シフト量の固体差及び試料の誘電率の異方性に対する感度の固体差について補正した場合のそれぞれについて各誘電体共振器が示す共振周波数のシフト量を比較したグラフである。
【００８２】
上記の測定対象である米坪６２．５ｇ/ｍ2試料について、王子計測機器（株）製分子配向計（型式：ＭＯＡ−３００１Ａ）を用い、取得サンプルをオフラインで測定した結果、配向角度は約１５度、ＭＯＲ（分子配向度）値は約１．１７程度であった。前述したように、図１２(b)に示したような配向パターンが得られる場合、共振周波数のシフト量は各ポジションに対して理論上は図１３に示したような形になる。これはすなわち、図４における配向角度が０度の状態での各ポジションに対する共振周波数のシフト量をシミュレーションした結果となる。これと同様に、配向角度１５度の場合のシミュレーション結果を図１９に示す。図１９は配向角度１５度の場合について、５つのポジションにおいて各誘電体共振器が示す共振周波数のシフト量をシミュレーションにより求めたグラフである。
【００８３】
図１２に示した配向角度０度の状態のシミュレーション結果は共振周波数のシフト量の数値がＰｏｓＡ＜ＰｏｓＣ＝ＰｏｓＤ＜ＰｏｓＢ＝ＰｏｓＥとなる。一方、図１９の結果は、図１２を基準とすると相対的にＰｏｓＡ、Ｃ、Ｅが上がり、ＰｏｓＢ，Ｄが下がる結果となる。これを踏まえ図１８を見ると、補正無し、及び各測定部がもつブランク共振周波数からの周波数シフト量の固体差の補正を実施するのみの場合、各共振器がもつ異方性に対する感度の固体差の影響などの影響により、Ｎｏ．３のΔｆが他よりも低くなるなど、本来得られるべきグラフ形状からやや逸脱した結果となっている。一方、図１８の補正後のグラフは、補正係数Ｋ１のみを掛けた結果と比較してもＮｏ．３のΔｆが上昇していることなどから、シミュレーション結果とより近いグラフ形状を示している。このことから、各測定部がもつブランク共振周波数にからの周波数シフト量の固体差及び試料の誘電率の異方性に対する感度の固体差をともに補正することの有用性が確認された。つまり、紙の繊維配向の実測においても、配向角度および配向度の測定精度が向上したことが確認されたということになる。
【符号の説明】
【００８４】
１〜５      誘電体共振器
１０，１０ａ      測定ヘッド
９      回転機構
３６      シフト量算出部
３８      ばらつき補正値算出部
３９      ばらつき補正後シフト量算出部
４０      シフト補正係数算出部
４１      シフト補正後シフト量算出部
４２      異方性感度補正係数算出部
４３      補正係数記憶部
４４      シフト補正部
４６      配向性算出部
【図１】
2011162010.tif 000003
【図２】
2011162010.tif 000004
【図３】
2011162010.tif 000005
【図４】
2011162010.tif 000006
【図５】
2011162010.tif 000007
【図６】
2011162010.tif 000008
【図８】
2011162010.tif 000009
【図９】
2011162010.tif 000010
【図１０】
2011162010.tif 000011
【図１１】
2011162010.tif 000012
【図１２】
2011162010.tif 000013
【図１３】
2011162010.tif 000014
【図１４】
2011162010.tif 000015
【図１５】
2011162010.tif 000016
【図１６】
2011162010.tif 000017
【図１７】
2011162010.tif 000018
【図１８】
2011162010.tif 000019
【図１９】
2011162010.tif 000020
【図７Ａ】
2011162010.tif 000021
【図７Ｂ】
2011162010.tif 000022
【国際調査報告】
2011162010.tif 000023
2011162010.tif 000024